(57)【要約】【課題】本開示は、表示装置に用いた場合に、表示装置の表示時には表示装置の情報を表示することができ、表示装置の非表示時には所定の意匠を視認することができる加飾フィルムであって、短時間で安価に製造することができる加飾フィルムを提供することを主目的とする。【解決手段】本開示は、一方の面側から投射された光を他方の面側に透過して情報を表示する加飾フィルムであって、透明基材と、上記透明基材の一方の面に配置され、パターン状の開口部を有する加飾層と、上記加飾層の上記開口部に配置されたパターン状の透光部とを備え、上記透光部の上記透明基材からの高さが、上記加飾層の上記透明基材からの高さよりも高い、加飾フィルムを提供する。【選択図】図１
2020067564.tif 000002
【特許請求の範囲】
【請求項１】
一方の面側から投射された光を他方の面側に透過して情報を表示する加飾フィルムであって、
透明基材と、
前記透明基材の一方の面に配置され、パターン状の開口部を有する加飾層と、
前記加飾層の前記開口部に配置されたパターン状の透光部と
を備え、前記透光部の前記透明基材からの高さが、前記加飾層の前記透明基材からの高さよりも高い、加飾フィルム。
【請求項２】
前記透明基材側の面側から投射された光を前記透明基材側の面とは反対の面側に透過して情報を表示する加飾フィルムであって、
前記透明基材および前記加飾層の間に配置され、前記加飾層の前記開口部と同一のパターン状の開口部を有する遮光層をさらに備え、
前記透光部が、前記遮光層の前記開口部および前記加飾層の前記開口部に配置されている、請求項１に記載の加飾フィルム。
【請求項３】
前記加飾層および前記遮光層の間に配置され、前記加飾層の前記開口部および前記遮光層の前記開口部と同一のパターン状の開口部を有する中間層をさらに備え、
前記透光部が、前記遮光層の前記開口部、前記中間層の前記開口部および前記加飾層の前記開口部に配置されている、請求項２に記載の加飾フィルム。
【請求項４】
前記加飾層の前記透明基材側の面とは反対の面に、前記加飾層および前記透光部を覆うように配置された表面機能層をさらに備える、請求項１から請求項３までのいずれかの請求項に記載の加飾フィルム。
【請求項５】
前記透明基材側の面とは反対の面側から投射された光を前記透明基材側の面側に透過して情報を表示する加飾フィルムであって、
前記加飾層の前記透明基材側の面とは反対の面に配置され、前記加飾層の前記開口部と同一のパターン状の開口部を有する遮光層をさらに備える、請求項１に記載の加飾フィルム。
【請求項６】
前記加飾層および前記遮光層の間に配置され、前記加飾層の前記開口部および前記遮光層の前記開口部と同一のパターン状の開口部を有する中間層をさらに備える、請求項５に記載の加飾フィルム。
【請求項７】
前記遮光層の前記透明基材側の面とは反対の面に、前記遮光層および前記透光部を覆うように配置された表面機能層をさらに備える、請求項５または請求項６に記載の加飾フィルム。
【請求項８】
前記透光部の前記透明基材側の面とは反対の面が、微細凹凸を有する、請求項１から請求項７までのいずれかの請求項に記載の加飾フィルム。
【請求項９】
表示パネルと、
前記表示パネルの前面に配置された、請求項１から請求項８までのいずれかの請求項に記載の加飾フィルムと
を備える、表示装置。
【発明の詳細な説明】
【技術分野】
【０００１】
本開示は、一方の面側から投射された光を他方の面側に透過して情報を表示することができる加飾フィルム、および上記加飾フィルムを備える表示装置に関する。
【背景技術】
【０００２】
近年、表示装置の非表示時に、所定の絵柄や文字等の意匠を表示するという技術が提案されている。
【０００３】
例えば特許文献１には、被取付部に嵌め込まれ、点灯時に外部に表示光を放つディスプレイを有した表示装置において、上記ディスプレイの前面が、上記表示光を透過し得る多数の微細孔を有したスクリーンで覆われており、該スクリーンの表面が、上記ディスプレイの周囲の被取付部と同一の色・模様に設定されている、表示装置が開示されている。また、例えば特許文献２には、発光体を制御することにより情報の提示を行う発光部と、該発光部の前方に配置され、着色が施された面を有するフロントパネル部と、を備えた電子機器において、上記フロントパネル部の着色が施された面は、少なくとも上記発光部の光が投影される範囲に、上記着色が施された着色部と当該着色部中に設けた複数の孔からなる上記光を透過させる透光部とを所定のパターンで形成する、電子機器が開示されている。
【０００４】
このような表示装置においては、表示装置の前面に配置されるフィルムは所定の意匠を表示するものであり、上記フィルムに多数の孔が形成されていることにより、表示装置の表示時に、上記フィルムの上記孔から光を透過して表示装置の情報を表示することができる。また、表示装置の非表示時に、上記フィルムの意匠を視認することができる。
【先行技術文献】
【特許文献】
【０００５】
【特許文献１】特開２００１−３３１１３２号公報
【特許文献２】特開２０１２−８３５８９号公報
【発明の概要】
【発明が解決しようとする課題】
【０００６】
上述したような表示装置の前面に配置されるフィルムにおいて、通常、多数の孔はレーザ加工により形成される。しかしながら、レーザ加工では多数の孔の形成に長時間を要し、タクトタイムが長くなるという問題がある。また、コストがかかるという問題もある。
【０００７】
本開示は、上記課題に鑑みてなされたものであり、表示装置に用いた場合に、表示装置の表示時には表示装置の情報を表示することができ、表示装置の非表示時には所定の意匠を視認することができる加飾フィルムであって、短時間で安価に製造することができる加飾フィルムを提供することを主目的とする。
【課題を解決するための手段】
【０００８】
本開示は、一方の面側から投射された光を他方の面側に透過して情報を表示する加飾フィルムであって、透明基材と、上記透明基材の一方の面に配置され、パターン状の開口部を有する加飾層と、上記加飾層の上記開口部に配置されたパターン状の透光部とを備え、上記透光部の上記透明基材からの高さが、上記加飾層の上記透明基材からの高さよりも高い、加飾フィルムを提供する。
【０００９】
本開示によれば、加飾層の開口部に透光部が配置されており、透光部の透明基材からの高さが加飾層の透明基材からの高さよりも高いことにより、透光部を利用して、容易に多数の開口部を有する加飾層を形成することができる。したがって、レーザ加工による開口部の形成が不要であり、短時間で安価に加飾フィルムを製造することができる。さらに、透光部の透明基材からの高さが加飾層の透明基材からの高さよりも高いことにより、加飾層の形成時に位置合わせを要することなく、簡便な工程で加飾層を形成することができる。
【００１０】
本開示においては、上記透明基材側の面側から投射された光を上記透明基材側の面とは反対の面側に透過して情報を表示する加飾フィルムであって、上記透明基材および上記加飾層の間に配置され、上記加飾層の上記開口部と同一のパターン状の開口部を有する遮光層をさらに備え、上記透光部が、上記遮光層の上記開口部および上記加飾層の上記開口部に配置されていてもよい。透明基材および加飾層の間に遮光層が配置されていることにより、加飾フィルムの透明基材側の面側から光を投射したときに、上記光が加飾層を透過するのを抑制することができ、加飾フィルムの透明基材側の面とは反対の面側からの情報の視認性の低下を抑制することができる。
【００１１】
本開示においては、上記加飾層および上記遮光層の間に配置され、上記加飾層の上記開口部および上記遮光層の上記開口部と同一のパターン状の開口部を有する中間層をさらに備え、上記透光部が、上記遮光層の上記開口部、上記中間層の上記開口部および上記加飾層の上記開口部に配置されていてもよい。加飾層および遮光層の間に中間層が配置されていることにより、加飾フィルムの透明基材側の面側から光が投射されていないときに、加飾層の絵柄や文字等の意匠の視認性を高めることができる。
【００１２】
本開示においては、上記加飾層の上記透明基材側の面とは反対の面に、上記加飾層および上記透光部を覆うように配置された表面機能層をさらに備えていてもよい。表面機能層により、加飾フィルムの表面を保護することができる。また、表面機能層が配置されていることにより、加飾フィルムの透明基材側の面側から光を投射したときに、透光部が加飾層から突出している部分における透光部の側面での全反射を起こりにくくすることができ、視野角特性を良くすることができる。
【００１３】
本開示においては、上記透明基材側の面とは反対の面側から投射された光を上記透明基材側の面側に透過して情報を表示する加飾フィルムであって、上記加飾層の上記透明基材側の面とは反対の面に配置され、上記加飾層の上記開口部と同一のパターン状の開口部を有する遮光層をさらに備えていてもよい。加飾層の透明基材側の面とは反対の面に遮光層が配置されていることにより、加飾フィルムの透明基材側の面とは反対の面側から光を投射したときに、上記光が加飾層を透過するのを抑制することができ、加飾フィルムの透明基材側の面側からの情報の視認性の低下を抑制することができる。
【００１４】
本開示においては、上記加飾層および上記遮光層の間に配置され、上記加飾層の上記開口部および上記遮光層の上記開口部と同一のパターン状の開口部を有する中間層をさらに備えていてもよい。加飾層および遮光層の間に中間層が配置されていることにより、加飾フィルムの透明基材側の面とは反対の面側から光が投射されていないときに、加飾層の絵柄や文字等の意匠の視認性を高めることができる。
【００１５】
本開示においては、上記遮光層の上記透明基材側の面とは反対の面に、上記遮光層および上記透光部を覆うように配置された表面機能層をさらに備えていてもよい。表面機能層により、加飾フィルムの表面を保護することができる。
【００１６】
本開示においては、上記透光部の上記透明基材側の面とは反対の面が、微細凹凸を有していてもよい。透光部が透明基材側の面とは反対の面に微細凹凸を有することにより、加飾フィルムの一方の面側から光を投射したときに、微細凹凸によって透光部を透過した光を拡散させることができ、加飾フィルムの視野角特性を向上させることができる。
【００１７】
本開示は、表示パネルと、上記表示パネルの前面に配置された上述の加飾フィルムとを備える、表示装置を提供する。
【００１８】
本開示によれば、上述した加飾フィルムを有することにより、表示時には表示パネルの情報を表示することができ、非表示時には加飾フィルムの意匠を視認することができる表示装置とすることができる。また、このような表示装置を安価に提供することができる。
【発明の効果】
【００１９】
本開示は、表示装置に用いた場合に、表示装置の表示時には表示装置の情報を表示することができ、表示装置の非表示時には所定の意匠を視認することができる加飾フィルムであって、短時間で安価に製造することができる加飾フィルムを提供することができるという効果を奏する。
【図面の簡単な説明】
【００２０】
【図１】本開示の加飾フィルムを例示する概略平面図および断面図である。
【図２】本開示の加飾フィルムを例示する概略平面図および断面図である。
【図３】本開示の表示装置を例示する概略断面図である。
【図４】本開示の加飾フィルムの製造方法を例示する工程図である。
【図５】本開示の加飾フィルムを例示する概略断面図である。
【図６】本開示の加飾フィルムを例示する概略断面図である。
【図７】本開示の加飾フィルムを例示する概略断面図である。
【図８】本開示の加飾フィルムの製造方法を例示する工程図である。
【図９】本開示の加飾フィルムを例示する概略平面図および断面図である。
【図１０】本開示の表示装置を例示する概略断面図である。
【図１１】本開示の加飾フィルムの製造方法を例示する工程図である。
【図１２】本開示の加飾フィルムを例示する概略断面図である。
【図１３】本開示の加飾フィルムを例示する概略断面図である。
【図１４】本開示の加飾フィルムを例示する概略断面図である。
【図１５】本開示の加飾フィルムの製造方法を例示する工程図である。
【図１６】従来の加飾フィルムの製造方法を例示する工程図である。
【発明を実施するための形態】
【００２１】
以下、本開示の加飾フィルムおよび表示装置について説明する。但し、本開示は多くの異なる態様で実施することが可能であり、以下に例示する実施の態様の記載内容に限定して解釈されるものではない。また、図面は説明をより明確にするため、実施の態様に比べ、各部材の幅、厚さ、形状等について模式的に表される場合があるが、あくまで一例であって、本開示の解釈を限定するものではない。また、本明細書と各図において、既出の図に関して前述したものと同様の要素には、同一の符号を付して、詳細な説明を適宜省略することがある。
【００２２】
本明細書において、ある部材の上に他の部材を配置する態様を表現するにあたり、単に「上に」あるいは「下に」と表記する場合、特に断りの無い限りは、ある部材に接するように、直上あるいは直下に他の部材を配置する場合と、ある部材の上方あるいは下方に、さらに別の部材を介して他の部材を配置する場合との両方を含むものとする。また、本明細書において、ある部材の上に他の部材を配置する態様を表現するにあたり、単に「面に」と表記する場合、特に断りの無い限りは、ある部材に接するように、直上あるいは直下に他の部材を配置する場合と、ある部材の上方あるいは下方に、さらに別の部材を介して他の部材を配置する場合との両方を含むものとする。
【００２３】
また、本明細書において、「フィルム」には、「シート」等と呼ばれる部材も含まれる。
【００２４】
Ａ．加飾フィルム
本開示の加飾フィルムは、一方の面側から投射された光を他方の面側に透過して情報を表示する部材であって、透明基材と、上記透明基材の一方の面に配置され、パターン状の開口部を有する加飾層と、上記加飾層の上記開口部に配置されたパターン状の透光部とを備え、上記透光部の上記透明基材からの高さが、上記加飾層の上記透明基材からの高さよりも高い、部材である。
【００２５】
本開示の加飾フィルムは２つの実施態様を有する。本開示の加飾フィルムの第１実施態様は、透明基材側の面側から投射された光を透明基材側の面とは反対の面側に透過して情報を表示する加飾フィルムである。また、本開示の加飾フィルムの第２実施態様は、透明基材側の面とは反対の面側から投射された光を透明基材側の面側に透過して情報を表示する加飾フィルムである。以下、各実施態様について説明する。
【００２６】
Ｉ．第１実施態様
本開示の加飾フィルムの第１実施態様は、透明基材側の面側から投射された光を透明基材側の面とは反対の面側に透過して情報を表示する部材であって、透明基材と、上記透明基材の一方の面に配置され、パターン状の開口部を有する加飾層と、上記加飾層の上記開口部に配置されたパターン状の透光部とを備え、上記透光部の上記透明基材からの高さが、上記加飾層の上記透明基材からの高さよりも高い、部材である。
【００２７】
以下、本実施態様の加飾フィルムについて図面を参照して説明する。
図１（ａ）は、本実施態様の加飾フィルムの一例を示す概略平面図であり、図１（ｂ）は、図１（ａ）のＡ−Ａ線断面図である。図１（ａ）、（ｂ）に例示するように、加飾フィルム１は、透明基材２と、透明基材２の一方の面に配置され、パターン状の開口部１３を有する加飾層３と、加飾層３の開口部１３に配置されたパターン状の透光部４とを備える。透光部４の透明基材２からの高さｈ１は、加飾層３の透明基材２からの高さｈ２よりも高くなっている。具体的には、図１（ｂ）においては、透光部４の厚みが、加飾層３の厚みよりも大きくなっている。
【００２８】
図２（ａ）は、本実施態様の加飾フィルムの他の例を示す概略平面図であり、図２（ｂ）は、図２（ａ）のＡ−Ａ線断面図である。図２（ａ）、（ｂ）に例示するように、加飾フィルム１は、透明基材２と、透明基材２の一方の面に配置され、パターン状の開口部１３を有する加飾層３と、加飾層３の開口部１３に配置されたパターン状の透光部４とを備える。
【００２９】
本実施態様の加飾フィルムは、例えば図２（ｂ）に示すように、透明基材２および加飾層３の間に配置され、加飾層３の開口部１３と同一のパターン状の開口部１５を有する遮光層５をさらに備えていてもよい。この場合、透光部４は、遮光層５の開口部１５および加飾層３の開口部１３に配置される。
【００３０】
また、本実施態様の加飾フィルムは、例えば図２（ｂ）に示すように、加飾層３および遮光層５の間に配置され、加飾層３の開口部１３および遮光層５の開口部１５と同一のパターン状の開口部１６を有する中間層６をさらに備えていてもよい。この場合、透光部４は、遮光層５の開口部１５、中間層６の開口部１６および加飾層３の開口部１３に配置される。
【００３１】
透光部４の透明基材２からの高さｈ１は、加飾層３の透明基材２からの高さｈ２よりも高くなっている。具体的には、図２（ｂ）においては、透光部４の厚みが、遮光層５、中間層６および加飾層３の合計厚みよりも大きくなっている。
【００３２】
図３は、本開示の加飾フィルムを備える表示装置の一例を示す概略断面図であり、図２（ａ）、（ｂ）に示す加飾フィルムを備える例である。図３に例示するように、表示装置２０は、表示パネル２１と、表示パネル２１の前面に接着層２２を介して配置された加飾フィルム１とを備える。
【００３３】
なお、加飾フィルムと表示パネルとは、このように接着層で接着されたものであってもよいが、例えば、加飾フィルムを支持する支持枠が設けられ、この支持枠により加飾フィルムが表示パネル上に配置されたものであってもよい。この場合は、表示パネルと加飾フィルムとの間には空気層が形成されることになる。
このように接着層を用いずに加飾フィルムを表示パネル上に配置するためには、加飾フィルムが自己支持性を有することが好ましく、このような場合は、後述する支持部材が加飾フィルムの一方の表面側に配置されていることが好ましい。
【００３４】
本実施態様の加飾フィルムは、図２（ｂ）に示すように、加飾フィルム１の透明基材２側の面側から投射された光Ｌ１を加飾フィルム１の透明基材２側の面とは反対の面側に透過して情報を表示することができる。具体的には、加飾フィルム１の透明基材２側の面側から投射された光Ｌ１が、透光部４から加飾フィルム１の透明基材２側の面とは反対の面側に透過することにより、加飾フィルム１の透明基材２側の面とは反対の面側に情報を表示することができる。そのため、図３に示すように、加飾フィルム１を備える表示装置２０においては、表示パネル２１の表示時に、加飾フィルム１の透明基材２側の面とは反対の面側から、観察者は、加飾フィルム１の透光部４を通して、表示パネル２１の画像情報を視認することができる。
【００３５】
また、本実施態様の加飾フィルムにおいては、図２（ｂ）に示すように、加飾フィルム１の透明基材２側の面側から光Ｌ１を投射していないときには、透明基材２側の面とは反対の面側から加飾層３の絵柄や文字等の意匠を視認することができる。そのため、図３に示すように、加飾フィルム１を備える表示装置２０において、表示パネル２１の非表示時には、加飾フィルム１の透明基材２側の面とは反対の面側から、観察者は、加飾層３の意匠を視認することができる。
【００３６】
図４（ａ）〜（ｄ）は、本実施態様の加飾フィルムの製造方法の一例を示す工程図であり、図２（ａ）、（ｂ）に示す加飾フィルムの製造方法の例である。まず、図４（ａ）に示すように、透明基材２の一方の面に印刷法等により遮光層５をパターン状に形成する。これにより、パターン状の開口部１５を有する遮光層５が得られる。続いて、図４（ｂ）に示すように、遮光層５上に印刷法等により中間層６を遮光層５と同一のパターン状に形成する。これにより、遮光層５の開口部１５と同一のパターン状の開口部１６を有する中間層６が得られる。次いで、図４（ｃ）に示すように、遮光層５の開口部１５および中間層６の開口部１６に印刷法等により透光部４を形成する。この際、後の工程にて加飾層を形成したときに、透光部の透明基材からの高さが加飾層の透明基材からの高さよりも高くなるように、透光部４の厚みが設定される。次に、図４（ｄ）に示すように、中間層６上に印刷法等により加飾層３をパターン状に形成する。これにより、遮光層５の開口部１５および中間層６の開口部１６と同一のパターン状の開口部１３を有する加飾層３が得られる。
【００３７】
このような加飾フィルムの製造方法においては、図４（ｄ）に示すように、加飾層３を形成する際、透光部４の透明基材２からの高さｈ１が加飾層３の透明基材２からの高さｈ２よりも高いため、透光部４を利用して、透光部４が配置されていない領域に加飾層３を容易に形成することができる。したがって、加飾層３の位置合わせを要することなく、透光部４が配置されていない領域のみに確実に加飾層３を形成することができる。そのため、例えば図５に示すように、加飾層３が複数色の加飾部３ａ、３ｂを有する場合（図５においては、加飾層３は２色の加飾部３ａ、３ｂを有する。）には、加飾層３の開口部１３に対して各加飾部３ａ、３ｂの位置合わせを要しない。また、図４（ｄ）に示すように、加飾フィルム１が遮光層５および中間層６を有する場合には、遮光層５の開口部１５および中間層６の開口部１６に対して加飾層３の位置合わせを要しない。
【００３８】
なお、従来では、通常、開口部はレーザ加工により形成されており、例えば図１６（ａ）〜（ｂ）に示すように、透明基材２上に遮光層５、中間層６および加飾層３を順に積層した後、レーザ加工により開口部を形成する。通常、遮光層、中間層および加飾層は多数の開口部を有するため、レーザ加工では開口部の形成に長時間を要し、タクトタイムが長くなる。また、コストがかかる。
【００３９】
また、開口部を有する加飾層の形成方法としては、印刷法を用いることができる。印刷法では、レーザ加工による開口部の形成が不要であり、短時間で安価に多数の開口部を有する加飾層を形成することができる。ここで、例えば加飾層が複数色の加飾部を有する場合には、加飾層の開口部に対して各加飾部の位置合わせを行う必要がある。また、例えば加飾フィルムが遮光層および中間層を有する場合には、遮光層に開口部および中間層の開口部に対して加飾層の位置合わせを行う必要がある。しかし、印刷法では、位置合わせが困難である。
【００４０】
これに対し、本実施態様においては、加飾層の開口部に透光部が配置されていることにより、レーザ加工による開口部の形成が不要であり、容易に多数の開口部を有する加飾層を形成することができる。したがって、短時間で安価に加飾フィルムを製造することが可能である。また、透光部の透明基材からの高さが加飾層の透明基材からの高さよりも高いことにより、加飾層の形成時に位置合わせを要することなく、簡便な工程で加飾層を形成することができる。
【００４１】
また、従来では、上述したように、通常、開口部はレーザ加工により形成されており、レーザ加工では開口部の形成の容易さや精度等から、遮光層、中間層および加飾層の厚みは比較的薄くする必要がある。しかし、遮光層、中間層および加飾層がそれぞれ有する機能は、各層の厚みに起因するため、各層の厚みを薄くするには限界がある。
【００４２】
これに対し、本実施態様においては、加飾層の開口部に透光部が配置されていることにより、レーザ加工による開口部の形成が不要であるため、遮光層、中間層および加飾層の厚みを厚くすることが可能である。したがって、遮光層、中間層および加飾層がそれぞれの機能を十分に発揮させることができる。
【００４３】
以下、本実施態様の加飾フィルムについて詳細に説明する。
【００４４】
１．透光部
本実施態様における透光部は、後述する加飾層の開口部に配置されるパターン状の部材である。また、後述するように、本実施態様の加飾フィルムが、透明基材および加飾層の間に遮光層を有する場合には、透光部は、遮光層の開口部および加飾層の開口部に配置される。さらに、後述するように、本実施態様の加飾フィルムが、加飾層および遮光層の間に中間層を有する場合には、透光部は、遮光層の開口部、中間層の開口部および加飾層の開口部に配置される。
【００４５】
透光部の透明基材からの高さは、加飾層の透明基材からの高さよりも高い。具体的には、透光部の透明基材からの高さと、加飾層の透明基材からの高さとの差は、０．０４μｍ以上とすることができ、中でも０．１μｍ以上４０μｍ以下であることが好ましく、特に０．２μｍ以上２０μｍ以下であることが好ましい。上記高さの差が上記範囲であることにより、加飾層の形成時に位置合わせを要することなく、透光部が配置されていない領域のみに確実に加飾層を形成することができる。
【００４６】
ここで、透光部の透明基材からの高さとは、透明基材の一方の面からの透光部の高さをいい、透光部の厚みをいう。例えば、図１（ｂ）および図２（ｂ）において、符号ｈ１で示される高さである。
【００４７】
また、加飾層の透明基材からの高さとは、透明基材の一方の面からの加飾層の高さをいう。例えば、透明基材の直上に加飾層が配置されている場合には、加飾層の透明基材からの高さとは、加飾層の厚みをいう。また、例えば、透明基材および加飾層の間に遮光層および中間層が配置されている場合には、加飾層の透明基材からの高さとは、遮光層、中間層および加飾層の合計厚みをいう。具体的には、図１（ｂ）および図２（ｂ）において、符号ｈ２で示される高さである。
【００４８】
透光部の厚み、すなわち透光部の透明基材からの高さは、加飾層の透明基材からの高さよりも高ければよく、加飾層の透明基材からの高さ、すなわち加飾層、遮光層および中間層の厚み等に応じて適宜調整される。具体的には、透光部の厚みは、０．０５μｍ以上１００μｍ以下とすることができ、中でも０．１μｍ以上５０μｍ以下であることが好ましく、特に０．２μｍ以上２５μｍ以下であることが好ましい。透光部の厚みが上記範囲内であることにより、加飾層の形成時に位置合わせを要することなく、透光部が配置されていない領域のみに確実に加飾層を形成することができる。
【００４９】
透光部のパターン形状は、加飾フィルムの透明基材側の面側から光を投射したときに、光を加飾フィルムの透明基材側の面とは反対の面側へと十分に透過するという機能を発揮できるようなパターン形状であれば、特に限定されない。透光部のパターン形状としては、例えば、ドット状、ストライプ状、格子状、市松模様状等が挙げられる。
【００５０】
透光部の平面視形状は、加飾フィルムの透明基材側の面側から光を投射したときに、光を加飾フィルムの透明基材側の面とは反対の面側へと十分に透過するという機能を発揮できるような形状であれば、特に限定されない。透光部の平面視形状としては、例えば、円形状、楕円形状、矩形状等が挙げられる。また、加飾フィルムは、通常、多数の透光部を有する。多数の透光部の平面視形状は同じであってもよく、異なっていてもよい。
【００５１】
透光部の平面視の大きさは、後述する加飾層の開口率を満たす程度の大きさであることが好ましい。また、隣接する透光部の間隔は、透光部の大きさ等に応じて適宜調整することができるが、加飾層の開口率を満たすように設定することが好ましい。なお、隣接する透光部の間隔とは、例えば図１（ａ）および図２（ａ）において、符号ｄで示される距離を指す。
【００５２】
例えば、透光部のパターン形状がドット状であり、透光部の平面視形状が円形状である場合、透光部の大きさとしては、具体的には、透光部の直径を５μｍ以上５００μｍ以下とすることができ、中でも２０μｍ以上４００μｍ以下であることが好ましく、特に５０μｍ以上３００μｍ以下であることが好ましい。
【００５３】
また、この場合、隣接する透光部の間隔は、具体的には、５μｍ以上１０００μｍ以下とすることができ、中でも２０μｍ以上６００μｍ以下であることが好ましく、特に５０μｍ以上５００μｍ以下であることが好ましい。透光部の直径および隣接する透光部の間隔が上記範囲内であることにより、透光部が観察者によって視認され、加飾層の絵柄や文字等の意匠の視認性が低下するのを抑制することができる。さらに、この場合、透光部の直径に対する透光部の厚みの比（厚み／直径）は、例えば、０．０５／５００以上１００／５以下とすることができ、中でも０．１／５００以上１００／４０以下であることが好ましく、特に０．２／５００以上１００／１００以下であることが好ましい。上記の比が上記範囲内であることにより、透光部の強度を高くすることができ、透光部を利用して開口部を有する加飾層を安定的に形成することができる。
【００５４】
また、例えば、透光部のパターン形状が格子状である場合、透光部の大きさとしては、具体的には、透光部の幅を５μｍ以上５００μｍ以下とすることができ、中でも２０μｍ以上４００μｍ以下であることが好ましく、特に５０μｍ以上３００μｍ以下であることが好ましい。また、この場合、隣接する透光部の間隔は、具体的には、５μｍ以上１０００μｍ以下とすることができ、中でも２０μｍ以上６００μｍ以下であることが好ましく、特に５０μｍ以上５００μｍ以下であることが好ましい。透光部の幅および隣接する透光部の間隔が上記範囲内であることにより、透光部が観察者によって視認され、加飾層の絵柄や文字等の意匠の視認性が低下するのを抑制することができる。
【００５５】
さらに、この場合、透光部の幅に対する透光部の厚みの比（厚み／幅）は、例えば０．０５／５００以上４０／５以下とすることができ、中でも０．１／５００以上１００／４０以下であることが好ましく、特に１０／５００以上１００／１００であることが好ましい。上記の比が上記範囲内であることにより、透光部の強度を高くすることができ、透光部を利用して開口部を有する加飾層を安定的に形成することができる。
【００５６】
また、例えば、透光部のパターン形状がストライプ状である場合、透光部の大きさとしては、具体的には、透光部の幅を５μｍ以上５００μｍ以下とすることができ、中でも２０μｍ以上４００μｍ以下であることが好ましく、特に５０μｍ以上３００μｍ以下であることが好ましい。また、この場合、隣接する透光部の間隔は、具体的には、５μｍ以上１０００μｍ以下とすることができ、中でも２０μｍ以上６００μｍ以下であることが好ましく、特に５０μｍ以上５００μｍ以下であることが好ましい。透光部の幅および隣接する透光部の間隔が上記範囲内であることにより、透光部が観察者によって視認され、加飾層の絵柄や文字等の意匠の視認性が低下するのを抑制することができる。
さらに、この場合、透光部の幅に対する透光部の厚みの比（厚み／幅）は、例えば０．０５／５００以上１００／５以下とすることができ、中でも０．１／５００以上１００／４０以下であることが好ましく、特に０．２／５００以上１００／１００以下であることが好ましい。上記の比が上記範囲内であることにより、透光部の強度を高くすることができ、透光部を利用して開口部を有する加飾層を安定的に形成することができる。
【００５７】
透光部は、透明性を有する。透光部が有する透明性は、本実施態様の加飾フィルムに光を投射した際に、光が透光部を透過することができる程度の透明性であることが好ましい。具体的には、透光部の全光線透過率が８０％以上であることが好ましく、特に９０％以上であることが好ましい。透光部の全光線透過率が上記範囲内であることにより、加飾フィルムに一方の面側から光を投射した際に、より多くの光を他方の面側に出射することができるため、光により表示される情報の視認性が向上する。
【００５８】
なお、透光部の全光線透過率は、例えば、ＪＩＳ  Ｋ７３６１−１：１９９７に準拠する方法により測定することができる。
【００５９】
また、透光部は、透明性を有するものであればよく、無色であってもよく、有色であってもよい。中でも、透光部は、無色であることが好ましい。加飾フィルムの透明基材側の面側から投射された光が、加飾層によって着色されるのを抑制することができるからである。
【００６０】
透光部は、例えば図６に示すように、透光部４の透明基材２側の面とは反対の面が、微細凹凸４ｃを有していてもよい。透光部４が表面に微細凹凸４ｃを有することにより、加飾フィルム１の透明基材２側の面側から光Ｌ１を投射したときに、微細凹凸４ｃによって透光部４を透過した光Ｌ１を拡散させることができ、加飾フィルムの視野角特性を向上させることができるからである。
【００６１】
透光部が表面に微細凹凸を有する場合、透光部の透明基材側の面とは反対側の面における表面粗さとしては、透過部を透過する光を拡散させることができる程度であればよい。具体的には、透光部の透明基材側の面とは反対側の面における算術平均粗さＲａが、１０ｎｍ以上２００００ｎｍ以下であることが好ましく、中でも２００ｎｍ以上１００００ｎｍ以下であることが好ましく、特に５００ｎｍ以上８００ｎｍ以下であることが好ましい。上記算術平均粗さＲａが上記範囲内であることにより、透光部が所望の光拡散機能を発揮することができ、加飾フィルムの視野角特性を向上させることができるからである。
【００６２】
なお、算術平均粗さＲａは、例えば、ＪＩＳ  Ｂ０６０１に準拠する方法により測定することができる。
【００６３】
透光部は、光拡散機能を有していてもよく、有さなくてもよいが、中でも光拡散機能を有さないことが好ましい。透光部が光拡散機能を有さないことにより、透光部の透明性、例えば透光部の全光線透過率を高めることができる。これにより、加飾フィルムの透明基材側の面側から光を投射したときに、画像情報を鮮明に表示することができるとともに、加飾層の絵柄や文字等の意匠をより視認され難くすることができる。
【００６４】
また、透光部は、実質的に粒子状の光拡散材を含有しないことが好ましい。透光部が実質的に粒子状の光拡散材を含有しないことにより、透光部を光拡散機能を有さないものとすることができる。
【００６５】
なお、粒子状の光拡散材とは、例えば、球状、扁平状、不定形状、星型形状、金平糖形状等の形状の光拡散材を包含する。
【００６６】
また、透光部が実質的に粒子状の光拡散材を含有しないとは、透光部中の粒子状の光拡散材の含有量が、５質量％以下であることをいう。透光部中の粒子状の光拡散材の含有量は、中でも１質量％以下であることが好ましく、特に０質量％であることが好ましい。
【００６７】
また、透光部のヘイズ値は、例えば１０％以下であることが好ましく、中でも８％以下であることが好ましく、特に５％以下であることが好ましい。透光部のヘイズ値が上記範囲であることにより、透光部を光拡散機能を有さないものとすることができる。
【００６８】
なお、透過部のヘイズ値は、例えば、ＪＩＳ  Ｋ７１３６：２０００に準拠して測定することができる。
【００６９】
透光部の材料としては、上述したような所定の全光線透過率を有する材料であればよく、例えば、透明樹脂が挙げられる。透明樹脂としては、光学的な透明性を有する樹脂であればよく、具体的には、ポリエチレンテレフタレート樹脂、ポリカーボネート樹脂、メチルメタクリレート・スチレン樹脂、メチルメタクリレート・ブタジエン・スチレン樹脂、アクリル系樹脂、トリアセチルセルロース樹脂、ポリエチレンナフタレート樹脂等が挙げられる。
【００７０】
また、透光部は、必要に応じて、架橋剤、紫外線吸収剤、酸化防止剤、帯電防止剤、難燃剤、可塑剤等の各種添加剤を１種または２種以上含有していてもよい。
【００７１】
２．加飾層
本実施態様における加飾層は、透明基材の一方の面に配置され、パターン状の開口部を有する部材である。本実施態様においては、上述したように、加飾フィルムの透明基材側の面側から光が投射されていないときには、加飾フィルムの透明基材側の面とは反対の面側から加飾層の絵柄や文字等の意匠を視認することができる。
【００７２】
加飾層は、通常、例えば図１（ａ）および図２（ａ）に示すように、平面視上、多数の開口部を有する。加飾層が多数の開口部を有することにより、加飾フィルムの透明基材側の面側から光を投射した際に、上記開口部から加飾フィルムの透明基材側の面とは反対の面側へと光を透過することが可能となる。これにより、観察者は、加飾フィルムの透明基材側の面とは反対の面側に透過された光により所定の情報を視認することが可能となる。
【００７３】
加飾層の開口率としては、加飾フィルムの透明基材側の面側から光を投射したときに、光を加飾フィルムの透明基材側の面とは反対の面側へと透過し、観察者が情報を十分に視認することができる程度の開口率であって、かつ、加飾フィルムの透明基材側の面側から光を投射していないときには、加飾フィルムの透明基材側の面とは反対の面側から加飾層の絵柄や文字等に意匠を、観察者が十分に視認することができる程度の開口率であることが好ましい。そのため、加飾層の開口率は、加飾フィルムの用途等に応じて適宜調整することができる。加飾層の開口率としては、具体的には、５％以上であることが好ましく、中でも１０％以上４０％以下であることが好ましく、特に２０％以上３０％以下であることが好ましい。なお、加飾層の開口率は、加飾層における開口部の領域と開口部以外の領域との総面積に対する、加飾層の開口部の領域の面積の割合である。
【００７４】
加飾層の開口部のパターン形状、開口部の平面視形状、開口部の平面視の大きさ、隣接する開口部の間隔としては、上述した透光部のパターン形状、透光部の平面視形状、透光部の平面視の大きさ、隣接する透光部の間隔と同様とすることができる。
【００７５】
加飾層の絵柄や文字等の意匠としては、特に限定されず、本実施態様の加飾フィルムの用途に応じて適宜選択することができる。
【００７６】
加飾層は、単層であってもよく、多層であってもよい。また、加飾層は、複数色の加飾部を有していてもよい。各加飾部は、その一部または全部が重なり合っていてもよい。
【００７７】
加飾層は、遮光性を有していてもよい。加飾層が遮光性を有することにより、後述する遮光層を兼ねることができる。加飾層の遮光性については、遮光層の遮光性と同様とすることができる。例えば、加飾層の厚みを厚くすることにより、遮光性を有する加飾層を得ることができる。
【００７８】
加飾層の材料は、加飾することができる材料であれば特に限定されない。本実施態様においては、通常、加飾層の形成方法には印刷法が用いられる。そのため、加飾層の材料は、印刷法に適用することが可能な材料であることが好ましい。このような材料としては、例えば、着色材および樹脂を含有する樹脂組成物が挙げられる。着色材としては、例えば、染料や顔料等が挙げられる。また、樹脂としては、着色材を分散できる材料であればよく、例えば、一般的に印刷インクに使用される樹脂を用いることができる。
【００７９】
加飾層は、必要に応じて、充填剤、可塑剤、分散剤、潤滑剤、帯電防止剤、酸化防止剤、防黴剤等の添加剤を適宜含有することができる。
【００８０】
加飾層の厚みは、加飾層の意匠や、加飾フィルムの用途や大きさ等に応じて、適宜調整することができる。加飾層の厚みとしては、例えば、０．０１μｍ以上２０μｍ以下とすることができ、中でも０．０５μｍ以上１０μｍ以下であることが好ましい。
【００８１】
３．遮光層
本実施態様の加飾フィルムは、後述する透明基材および上記加飾層の間に配置され、上記加飾層の開口部と同一のパターン状の開口部を有する遮光層をさらに備えることが好ましい。遮光層は、加飾フィルムに投射される光を遮ることができる。例えば、図２（ｂ）に示すように、遮光層５は、加飾フィルム１の透明基材２側の面側から投射された光Ｌ１が、加飾層３を透過することを抑制することができる。加飾フィルム１の透明基材２側の面側から投射された光Ｌ１が加飾層３を透過しないことにより、加飾層３によって光Ｌ１が着色されるのを抑制することができる。これにより、加飾フィルム１の透明基材２側の面とは反対の面側からの観察者による情報の視認性の低下を抑制することができる。
【００８２】
遮光層は、上記加飾層の開口部と同一のパターン状の開口部を有する。遮光層の開口部および開口率については、上記加飾層の開口部および開口率と同様とすることができる。
【００８３】
遮光層は、遮光性を有する。具体的な遮光層の遮光性としては、加飾フィルムの用途等に応じて異なるが、例えば、全光線透過率が４０％以下であることが好ましく、中でも３０％以下であることが好ましく、特に２５％以下であることが好ましい。
【００８４】
なお、遮光層の全光線透過率は、例えば、ＪＩＳ  Ｋ７３６１−１：１９９７に準拠する方法により測定することができる。
【００８５】
また、遮光層の遮光性は、加飾フィルムに投射される光の波長に応じて異なる。そのため、遮光層の遮光性は、例えば、分光透過率により規定することも可能である。分光透過率により規定される数値範囲は、上記全光線透過率の数値範囲と同様とすることができる。なお、分光透過率は、例えば、日本分光製  Ｖ−７１００  紫外可視分光光度計を用いて測定することができる。また、分光透過率の他にも、Ｙ値やＬ＊値により遮光性を規定することができる。Ｙ値やＬ＊値は、分光透過率から算出することができ、また、例えば、コニカミノルタ製  ＣＳ−１００Ａ  色彩輝度計を用いて測定することができる。なお、分光透過率からＹ値やＬ＊値を算出する方法については、公知の式から算出する方法と同様とすることができるため、ここでの説明は省略する。
【００８６】
遮光層の材料は、所望の遮光性を発揮することができる材料であれば特に限定されず、例えば、光吸収材または着色材と樹脂とを含有する樹脂組成物が挙げられる。光吸収材としては、例えば、カーボンブラック、グラファイト、黒色酸化鉄等の金属塩等が挙げられる。また、着色材としては、例えば、グレー系や黒色系等の暗色系の染料や顔料等が挙げられる。さらに、樹脂としては、光吸収材や着色材を分散できる材料であればよく、例えば、一般的に印刷インクに使用される樹脂を用いることができる。
【００８７】
遮光層の厚みは、所望の遮光機能を発揮できる程度の厚みであれば特に限定されず、例えば、０．５μｍ以上２００μｍ以下とすることができ、中でも１μｍ以上５０μｍ以下であることが好ましい。遮光層の厚みが上記範囲内であることにより、所望の遮光機能を発揮することができる。
【００８８】
また、本実施態様の加飾フィルムは、透明基材の一方の面に、遮光層と同一材料を含むアライメントマークを有していてもよい。後述するように、遮光層形成工程後に透光部形成工程を行う場合には、遮光層形成工程において遮光層と同時にアライメントマークを形成することで、透光部形成工程において、上記アライメントマークを用いて、遮光層に対する透光部の位置合わせを行うことができる。また、本実施態様の加飾フィルムが、後述する中間層を有する場合には、遮光層形成工程において遮光層と同時にアライメントマークを形成することで、中間層形成工程において、上記アライメントマークを用いて、遮光層に対する中間層の位置合わせを行うことができる。
【００８９】
４．中間層
本実施態様の加飾フィルムは、上記加飾層および上記遮光層の間に配置され、上記加飾層の開口部および上記遮光層の開口部と同一のパターン状の開口部を有する中間層をさらに備えていてもよい。加飾層および遮光層の間に中間層が配置されていることにより、加飾フィルムの透明基材側の面側から光が投射されていないときに、加飾層の背後を明るくして、加飾層の絵柄や文字等の意匠を引き立たせることができる。また、加飾層を通して遮光層が透けて見えるのを抑制することができる。これにより、加飾層の絵柄や文字等の意匠の視認性を高めることができる。
【００９０】
中でも、例えば加飾層の絵柄や文字等の意匠の色合いが淡色である場合には、加飾層および遮光層の間に中間層が配置されていることが好ましい。加飾層の意匠の色合いが淡色である場合、加飾フィルムの透明基材側の面側から光が投射されていないときには、加飾層の背後が暗くなるため、また加飾層を通して遮光層が透けて見えやすいため、観察者に加飾層の意匠が暗い色合いに見えてしまうおそれがある。これに対し、加飾層および遮光層の間に中間層が配置されていることにより、加飾層の背後を明るくすることができ、また加飾層を通して遮光層が透けて見えるのを抑制することができ、その結果、加飾層の意匠を引き立たせることができ、加飾層の意匠の視認性を高めることができる。また、加飾層を通して遮光層が透けて見えるのを抑制するためには、加飾層の厚みを厚くする必要があるが、加飾層の厚みが厚くなり過ぎると、加飾フィルムの厚み自体が厚くなってしまう傾向にある。このような場合に、中間層を設けることで、加飾層の厚みを厚くすることなく、加飾層を通して遮光層が透けて見えるのを抑制することが可能となる。
【００９１】
中間層は、加飾フィルムの透明基材側の面側から光が投射されていないときに、加飾層の背後を明るくすることができ、また加飾層を通して遮光層が透けて見えるのを抑制することができる層であれば特に限定されず、例えば着色層を用いることができる。着色層としては、加飾層の意匠の色合いに応じて適宜選択することができる。具体的には、白色層を用いることができる。
【００９２】
中間層は、上記加飾層の開口部および上記遮光層の開口部と同一のパターン状の開口部を有する。中間層の開口部および開口率については、上記加飾層の開口部および開口率と同様とすることができる。
【００９３】
中間層の材料としては、加飾フィルムの透明基材側の面側から光が投射されていないときに、加飾層の背後を明るくすることができ、また加飾層を通して遮光層が透けて見えるのを抑制することができるような材料であることが好ましい。中間層の材料としては、例えば、着色材および樹脂を含有する樹脂組成物が挙げられる。中間層に用いられる着色材の色合いは、加飾層の意匠の色合いに応じて適宜選択することができる。具体的な着色材としては、公知の着色材を用いることができる。また、樹脂としては、着色材を分散できる材料であればよく、例えば、一般的に印刷インクに使用される樹脂を用いることができる。
【００９４】
中間層の厚みは、加飾フィルムの透明基材側の面側から光が投射されていないときに、加飾層の背後を明るくすることができ、また加飾層を通して遮光層が透けて見えるのを抑制することができる程度の厚みであれば特に限定されず、加飾層や中間層が呈する色合い等に応じて適宜調整することができる。中間層の厚みとしては、例えば、０．１μｍ以上３０μｍ以下とすることができ、中でも３μｍ以上１５μｍ以下であることが好ましい。
【００９５】
５．表面機能層
本実施態様の加飾フィルムは、例えば図７に示すように、加飾層３の透明基材２側の面とは反対の面に、加飾層３および透光部４を覆うように配置された表面機能層７をさらに備えていてもよい。本実施態様においては、例えば図７に示すように、表面機能層７を加飾フィルム１の透明基材２側の面とは反対側の面の最外層に配置することができる。
【００９６】
表面機能層の屈折率は、上記透光部の屈折率との差が比較的小さいことが好ましい。具体的には、表面機能層の屈折率と透光部の屈折率との差が０．２以下であることが好ましく、中でも０．１以下であることが好ましく、特に０．０５以下であることが好ましい。
【００９７】
例えば、表面機能層が配置されておらず、透光部が加飾層から突出している部分において透光部が露出している場合、加飾フィルムの透明基材側の面側から光を投射すると、透光部を透過した光は、透光部の露出面において透光部および空気の屈折率差が大きいため全反射しやすくなる。中でも、透光部が加飾層から突出している部分における透光部の側面が露出している場合、透光部の側面の露出面において全反射が起こりやすいと、見る角度により視認性が低下するおそれがある。これに対し、上記の屈折率の差が上記範囲である場合には、透光部および表面機能層の屈折率差が小さいため、透光部が加飾層から突出している部分における透光部の側面において、全反射を起こりにくくすることができ、視野角特性を良くすることができる。なお、表面機能層および透光部の屈折率は、表面機能層の屈折率と透光部の屈折率との差が上記範囲であれば、いずれの屈折率が高くてもよく低くてもよい。
【００９８】
なお、表面機能層および透光部の屈折率は、例えば、ＪＩＳ  Ｋ  ７１４２に準拠する方法により測定することができる。具体的には、アッベ屈折計を用いて、温度２５℃の条件下で、測定波長５８９ｎｍのナトリウム光源を用いて測定することができる。
【００９９】
表面機能層が有する機能としては、例えば、ハードコート機能、防眩機能、反射防止機能、帯電防止機能、紫外線吸収機能、防汚機能等の少なくとも１つの機能を指す。中でも、表面機能層が、ハードコート機能を有する表面保護層であることが好ましい。
【０１００】
表面保護層は、所定の硬度を有することが好ましい。表面保護層の硬度としては、例えば、ＪＩＳ  Ｋ  ６００−５−４（１９９４）で規定される鉛筆硬度試験で「ＨＢ」以上の硬度であることが好ましい。表面保護層が所望のハードコート機能を発揮することができるからである。
【０１０１】
表面保護層の材料としては、例えば、所望のハードコート機能を発揮し、本実施態様の加飾フィルムを保護することができるような材料であることが好ましい。表面保護層の材料は、例えば、電離放射線硬化性樹脂または熱硬化性樹脂を含むことが好ましい。ここで、電離放射線硬化性樹脂は、少なくとも電離放射線硬化性樹脂モノマー、電離放射線硬化性樹脂オリゴマー、またはそれらの混合物を含む樹脂をいう。
【０１０２】
また、表面保護層にその他の機能を付与する場合には、表面保護層は、適宜添加剤等を含有することができる。
【０１０３】
表面保護層の厚みは、例えば、所望のハードコート機能を発揮できる程度の厚みであれば特に限定されず、本実施態様の加飾フィルムの用途等に応じて適宜調整することができる。表面保護層の厚みとしては、例えば、１μｍ以上５０μｍ以下とすることができる。
【０１０４】
６．透明基材
本実施態様における透明基材は、上述した透光部、加飾層、遮光層、中間層、表面機能層等を支持する部材である。本実施態様の加飾フィルムにおいては、表示装置に用いた場合に、加飾フィルムの透明基材側の面側に表示パネルが配置される。
【０１０５】
透明基材は、加飾フィルムに光を投射した際に、光の透過を妨げない程度の透明性を有することが好ましい。具体的な透明基材の透明性としては、例えば、全光線透過率が８０％以上であることが好ましく、中でも９０％以上であることが好ましい。なお、透明基材の全光線透過率は、例えば、ＪＩＳ  Ｋ７３６１−１：１９９７に準拠する方法により測定することができる。
【０１０６】
透明基材の材料としては、上述したような所定の全光線透過率を有する材料であればよく、例えば、ポリエチレンテレフタレート樹脂、ポリカーボネート樹脂、アクリル系樹脂、シクロオレフィン樹脂、ポリエステル樹脂、ポリスチレン樹脂、アクリルスチレン樹脂、アクリロニトリル・ブタジエン・スチレン（ＡＢＳ）樹脂等の樹脂や、石英ガラス、パイレックス（登録商標）、合成石英等のガラスが挙げられる。
【０１０７】
また、透明基材は、必要に応じて、紫外線吸収剤、熱線吸収剤等を含有していてもよい。
【０１０８】
透明基材の厚みは、上述した透光部、加飾層、遮光層、中間層、表面機能層等を支持することができる程度の厚みであれば特に限定されず、例えば、０．０１ｍｍ以上４．０ｍｍ以下とすることができ、中でも０．１ｍｍ以上１．０ｍｍ以下であることが好ましい。
【０１０９】
７．支持部材
本実施態様の加飾フィルムは、加飾フィルムのいずれかの面に配置された支持部材を有するものであってもよい。上記加飾フィルムは、比較的膜厚が薄いものであるので、自己支持性がなく、例えば表示パネル前面に配置されて表示装置とする場合に、上述したように支持枠を用いて配置する場合等においては問題が生じる場合がある。また、上記加飾フィルムは平面に形成されるものであるので、曲面等の形状とすることが難しい。このような場合に、支持部材を加飾フィルムのいずれかの面に配置することにより、自己支持性を付与することが可能となり、また例えば加飾フィルムに対してポリカーボネート樹脂等を用いてインモールド成形を行うこと等により、所定の形状の外形を有する加飾フィルムとすることが可能となる。
【０１１０】
このような支持部材を形成する材料としては、透明であれば特に限定されるものではないが、例えばポリカーボネート樹脂、ＡＢＳ樹脂、アルキル樹脂等の熱可塑性樹脂や、ガラス等を挙げることができる。このような支持部材の膜厚としては、通常、２ｍｍ〜５ｍｍ程度である。
【０１１１】
上記支持部材と加飾フィルムとは、接着剤を用いて接着してもよく、また、支持部材の材料として熱可塑性樹脂を用いる場合は、インサート成形法、インモールド成形法、およびＴＯＭ成形法（Three dimension Overlay Method＝３次元表面被覆工法）等を用いて支持部材を成形すると同時に加飾フィルムを接着させたものであってもよい。この場合、加飾フィルム側に、ＡＢＳ樹脂等からなる密着層を配置することが好ましい。
上述したように、支持部材は、加飾フィルムの透明基板側に形成されてもよく、また加飾層側に形成されてもよく、両側に形成されてもよいが、通常はいずれか一方側に配置される。
【０１１２】
８．加飾フィルムの物性
本実施態様の加飾フィルムは、所定の透明性を有することが好ましい。加飾フィルムの透明性としては、例えば、全光線透過率が６０％以上であることが好ましく、中でも８０％以上であることが好ましく、特に９０％以上であることが好ましい。加飾フィルムの全光線透過率が上記範囲であることにより、加飾フィルムの透明基材側の面側から光を投射したときに、画像情報を鮮明に表示することができるとともに、加飾層の絵柄や文字等の意匠をより視認され難くすることができる。
【０１１３】
また、加飾フィルムは、上述したように支持部材を有する場合があり、この場合、インサート成形法、インモールド成形法、およびＴＯＭ成形法等により加飾部材と共に支持部材が成形される。このような成型方法を用いる場合、加飾フィルムは熱可塑性、延伸性を有し、成形性に優れるといった特性を有することが好ましい。
【０１１４】
なお、加飾フィルムの全光線透過率は、例えば、ＪＩＳ  Ｋ７３６１−１：１９９７に準拠する方法により測定することができる。
【０１１５】
９．加飾フィルムの製造方法
本実施態様の加飾フィルムの製造方法は、上述した所定の構成を有する加飾フィルムを得ることができる方法であればよいが、透明基材の一方の面に透光部をパターン状に形成する透光部形成工程と、透明基材の一方の面の透光部が配置されていない領域に加飾層を形成する加飾層形成工程とを少なくとも有することが好ましい。透光部および加飾層を順に形成することにより、透光部を利用して、加飾層の位置合わせを要することなく、透光部が配置されていない領域のみに確実に加飾層を形成することができる。したがって、短時間で安価に、簡便な工程で開口部を有する加飾層を形成することができる。
【０１１６】
また、加飾フィルムが遮光層をさらに有する場合には、透光部形成工程前に、透明基材の一方の面に遮光層をパターン状に形成する遮光層形成工程を行ってもよく、透光部形成工程後かつ加飾層形成工程前に、透明基材の一方の面の透光部が配置されていない領域に遮光層を形成する遮光層形成工程を行ってもよい。
【０１１７】
また、加飾フィルムが遮光層および中間層をさらに有する場合には、透光部形成工程前に、透明基材の一方の面に遮光層をパターン状に形成する遮光層形成工程と、遮光層上に遮光層と同一のパターン状に中間層を形成する中間層形成工程とを行ってもよく、透光部形成工程後かつ加飾層形成工程前に、透明基材の一方の面の透光部が配置されていない領域に遮光層を形成する遮光層形成工程と、透明基材の一方の面の透光部が配置されていない領域に、かつ遮光層上に中間層を形成する中間層形成工程とを行ってもよい。
【０１１８】
以下、加飾フィルムが遮光層および中間層をさらに有する場合であって、遮光層形成工程、中間層形成工程、透光部形成工程および加飾層形成工程の順に行う製造方法（第１態様）と、透光部形成工程、遮光層形成工程、中間層形成工程および加飾層形成工程の順に行う製造方法（第２態様）とについて説明する。
【０１１９】
（１）第１態様
本実施態様の加飾フィルムの製造方法の第１態様は、透明基材の一方の面に遮光層をパターン状に形成する遮光層形成工程と、遮光層上に遮光層と同一のパターン状に中間層を形成する中間層形成工程と、透明基材の一方の面の遮光層および中間層の開口部に透光部を形成する透光部形成工程と、透光部が配置されていない領域に、かつ中間層上に加飾層を形成する加飾層形成工程とを有する。
【０１２０】
図４（ａ）〜（ｄ）は本態様の加飾フィルムの製造方法の一例を示す工程図である。なお、図４（ａ）〜（ｄ）については、上述したので、ここでの説明は省略する。
【０１２１】
本態様においては、透光部の透明基材からの高さが加飾層の透明基材からの高さよりも高いことにより、加飾層の形成時に位置合わせを要することなく、簡便な工程で加飾層を形成することができる。
【０１２２】
以下、本態様の加飾フィルムの製造方法の各工程について説明する。
【０１２３】
（ａ）遮光層形成工程
透明基材の一方の面に遮光層をパターン状に形成する方法としては、例えば印刷法、フォトリソグラフィ法等が挙げられる。中でも、製造工程の簡略化の観点から、印刷法が好ましい。印刷方式としては、例えば、網点印刷およびベタ印刷のいずれも用いることができる。印刷法としては、例えば、スクリーン印刷、グラビア印刷、オフセット印刷、フレキソ印刷、インクジェット印刷等が挙げられる。
【０１２４】
（ｂ）中間層形成工程
遮光層上に遮光層と同一のパターン状に中間層を形成する方法としては、例えば印刷法、フォトリソグラフィ法等が挙げられる。中でも、製造工程の簡略化の観点から、印刷法が好ましい。印刷法については、上記遮光層形成工程に適用できる印刷法と同様とすることができる。
【０１２５】
（ｃ）透光部形成工程
透明基材の一方の面の遮光層および中間層の開口部に透光部を形成する方法としては、透明基材の一方の面に透光部をパターン状に形成することができる方法であればよく、例えば印刷法、フォトリソグラフィ法等が挙げられる。中でも、製造工程の簡略化の観点から、印刷法が好ましい。印刷法としては、例えば、スクリーン印刷等を挙げることができる。
【０１２６】
（ｄ）加飾層形成工程
透光部が配置されていない領域に、かつ中間層上に加飾層を形成する方法としては、例えば印刷法、フォトリソグラフィ法等が挙げられる。中でも、製造工程の簡略化の観点から、印刷法が好ましい。印刷方式としては、例えば、網点印刷およびベタ印刷のいずれも用いることができる。印刷法としては、例えば、スクリーン印刷、グラビア印刷、オフセット印刷、フレキソ印刷、インクジェット印刷等が挙げられる。また、印刷法は、被印刷面に圧力がかかる方法であることが好ましい。被印刷面に圧力がかかる印刷法の場合、透光部の透明基材からの高さが加飾層の透明基材からの高さよりも高いことにより、加飾層の形成時に、上記圧力によって加飾層用組成物（インキ）が透光部上にのりにくくなり、透光部が配置されていない領域に転移しやすくなると考えられるからである。
【０１２７】
また、加飾層の形成時に、透光部上にも加飾層が形成された場合には、透光部上に位置する加飾層を除去すればよい。透光部上に位置する加飾層を除去する方法としては、透光部上に位置する加飾層のみを除去することができ、透光部が配置されていない領域に位置する加飾層は除去されないような方法であれば特に限定されず、例えば、ブラスト処理、ドライエッチング処理、ラビング処理等が挙げられる。この場合、例えば図６に示すように、透光部４の上面に、すなわち透光部４の透明基材２側の面とは反対の面に、微細凹凸４ｃを形成することができる。
【０１２８】
（ｅ）その他の工程
本実施態様の加飾フィルムの製造方法は、上述した工程の他にも、必要に応じてその他の工程を有していてもよい。
【０１２９】
本実施態様の加飾フィルムの製造方法は、例えば、上記加飾層形成工程後に、加飾層および透光部を覆うように表面機能層を形成する表面機能層形成工程を有していてもよい。
【０１３０】
表面機能層の形成方法としては、加飾層および透光部を覆うように表面機能層を形成することができる方法であればよく、例えば、表面機能層用組成物を塗布し、乾燥させ、必要に応じて硬化させる方法が挙げられる。
【０１３１】
また、支持部材を加飾フィルムに形成する支持部材形成工程を有していてもよい。具体的には、接着層により支持部材と加飾部材を接着させる工程や、支持部材が熱可塑性樹脂の場合は、インサート成形法、インモールド成形法、およびＴＯＭ成形法等を用いて、加飾フィルムの一方の面に支持部材を形成する工程であってもよい。
【０１３２】
（２）第２態様
本実施態様の加飾フィルムの製造方法の第２態様は、透明基材の一方の面に透光部をパターン状に形成する透光部形成工程と、透明基材の一方の面の透光部が配置されていない領域に遮光層を形成する遮光層形成工程と、透光部が配置されていない領域に、かつ遮光層上に中間層を形成する中間層形成工程と、透光部が配置されていない領域に、かつ中間層上に加飾層を形成する加飾層形成工程とを有する。
【０１３３】
図８（ａ）〜（ｄ）は本態様の加飾フィルムの製造方法の一例を示す工程図である。まず、図８（ａ）に示すように、透明基材２の一方の面に透光部４をパターン状に形成する透光部形成工程を行う。この際、後の工程にて加飾層を形成したときに、透光部の透明基材からの高さが加飾層の透明基材からの高さよりも高くなるように、透光部４の厚みが設定される。続いて、図８（ｂ）に示すように、透明基材２の一方の面の透光部４が配置されていない領域に遮光層５を形成する遮光層形成工程を行う。これにより、開口部１５を有する遮光層５が得られる。次いで、図８（ｃ）に示すように、透光部４が配置されていない領域に、かつ遮光層５上に中間層６を形成する中間層形成工程を行う。これにより、遮光層５の開口部１５と同一のパターン状の開口部１６を有する中間層６が得られる。次に、図８（ｄ）に示すように、透光部４が配置されていない領域に、かつ中間層６上に加飾層３を形成する加飾層形成工程を行う。これにより、遮光層５の開口部１５および中間層６の開口部１６と同一のパターン状の開口部１３を有する加飾層３が得られる。
【０１３４】
このような加飾フィルムの製造方法においては、図８（ｄ）に示すように、加飾層３を形成する際、透光部４の透明基材２からの高さｈ１が加飾層３の透明基材２からの高さｈ２よりも高いため、透光部４を利用して、透光部４が配置されていない領域に加飾層３を容易に形成することができる。また、図８（ｂ）〜（ｃ）に示すように、遮光層５および中間層６を形成する際、後の工程にて加飾層を形成したときに、透光部４の透明基材２からの高さｈ１が加飾層３の透明基材２からの高さｈ２よりも高くなるように、透光部４の厚みが設定されているため、透光部４を利用して、透光部４が配置されていない領域に遮光層５および中間層６を容易に形成することができる。したがって、遮光層５、中間層６および加飾層３の位置合わせを要することなく、透光部４が配置されていない領域のみに確実に遮光層５、中間層６および加飾層３を形成することができる。
【０１３５】
したがって、本態様においては、透光部の透明基材からの高さが加飾層の透明基材からの高さよりも高いことにより、遮光層、中間層および加飾層の形成時に位置合わせを要することなく、簡便な工程で遮光層、中間層および加飾層を形成することができる。
【０１３６】
以下、本態様の加飾フィルムの製造方法の各工程について説明する。
【０１３７】
（ａ）透光部形成工程
透明基材の一方の面に透光部をパターン状に形成する方法としては、上記第１態様における透光部の形成方法と同様とすることができる。
【０１３８】
（ｂ）遮光層形成工程
透明基材の一方の面の透光部が配置されていない領域に遮光層を形成する方法としては、上記第１態様における加飾層の形成方法と同様とすることができる。
【０１３９】
（ｂ）中間層形成工程
透光部が配置されていない領域に、かつ遮光層上に中間層を形成する方法としては、上記第１態様における加飾層の形成方法と同様とすることができる。
【０１４０】
（ｄ）加飾層形成工程
透光部が配置されていない領域に、かつ中間層上に加飾層を形成する方法としては、上記第１態様における加飾層の形成方法と同様とすることができる。
【０１４１】
（ｅ）その他の工程
本実施態様の加飾フィルムの製造方法は、上述した工程の他にも、必要に応じてその他の工程を有していてもよい。
【０１４２】
本実施態様の加飾フィルムの製造方法は、例えば、上記加飾層形成工程後に、加飾層および透光部を覆うように表面機能層を形成する表面機能層形成工程を有していてもよい。表面機能層の形成方法としては、上記第１態様における表面機能層の形成方法と同様とすることができる。
【０１４３】
また、上記第１態様と同様の方法により、加飾フィルムの表面に支持部材を形成する支持部材形成工程を有していてもよい。
【０１４４】
ＩＩ．第２実施態様
本開示の加飾フィルムの第２実施態様は、透明基材側の面とは反対の面側から投射された光を透明基材側の面側に透過して情報を表示する部材であって、透明基材と、上記透明基材の一方の面に配置され、パターン状の開口部を有する加飾層と、上記加飾層の上記開口部に配置されたパターン状の透光部とを備え、上記透光部の上記透明基材からの高さが、上記加飾層の上記透明基材からの高さよりも高い、部材である。
【０１４５】
図１（ａ）は、本実施態様の加飾フィルムの一例を示す概略平面図であり、図１（ｂ）は、図１（ａ）のＡ−Ａ線断面図である。なお、図１（ａ）、（ｂ）については、上記第１実施態様の項に記載したので、ここでの説明は省略する。
【０１４６】
図９（ａ）は、本実施態様の加飾フィルムの他の例を示す概略平面図であり、図９（ｂ）は、図９（ａ）のＡ−Ａ線断面図である。図９（ａ）、（ｂ）に例示するように、加飾フィルム１は、透明基材２と、透明基材２の一方の面に配置され、パターン状の開口部１３を有する加飾層３と、加飾層３の開口部１３に配置されたパターン状の透光部４とを備える。透光部４の透明基材２からの高さｈ１は、加飾層３の透明基材２からの高さｈ２よりも高くなっている。具体的には、図９（ｂ）においては、透光部４の厚みが、加飾層３の厚みよりも大きくなっている。
【０１４７】
本実施態様の加飾フィルムは、例えば図９（ｂ）に示すように、加飾層３の透明基材２側の面とは反対の面に配置され、加飾層３の開口部１３と同一のパターン状の開口部１５を有する遮光層５をさらに備えていてもよい。
【０１４８】
また、本実施態様の加飾フィルムは、例えば図９（ｂ）に示すように、加飾層３および遮光層５の間に配置され、加飾層３の開口部１３および遮光層５の開口部１５と同一のパターン状の開口部１６を有する中間層６をさらに備えていてもよい。
【０１４９】
また、本実施態様の加飾フィルムは、例えば図９（ｂ）に示すように、加飾層３の透明基材２側の面とは反対の面に、加飾層３および透光部４を覆うように配置された表面機能層７をさらに備えていてもよい。表面機能層７は、加飾フィルム１が遮光層５をさらに備える場合には、遮光層５の透明基材２側の面とは反対の面に、遮光層５および透光部４を覆うように配置される。
【０１５０】
図１０は、本開示の加飾フィルムを備える表示装置の一例を示す概略断面図であり、図９（ａ）、（ｂ）に示す加飾フィルムを備える例である。図１０に例示するように、表示装置２０は、表示パネル２１と、表示パネル２１の前面に接着層２２を介して配置された加飾フィルム１とを備える。
【０１５１】
なお、加飾フィルムと表示パネルとは、第１実施態様において説明したように支持枠等により配置されたものであってもよい。
【０１５２】
本実施態様の加飾フィルムは、図９（ｂ）に示すように、加飾フィルム１の透明基材２側の面とは反対の面側から投射された光Ｌ１を加飾フィルム１の透明基材２側の面側に透過して情報を表示することができる。具体的には、加飾フィルム１の透明基材２側の面とは反対の面側から投射された光Ｌ１が、透光部４から加飾フィルム１の透明基材２側の面側に透過することにより、加飾フィルム１の透明基材２側の面側に情報を表示することができる。そのため、図１０に示すように、加飾フィルム１を備える表示装置２０においては、表示パネル２１の表示時に、加飾フィルム１の透明基材２側の面側から、観察者は、加飾フィルム１の透光部４を通して、表示パネル２１の画像情報を視認することができる。
【０１５３】
また、本実施態様の加飾フィルムにおいては、図９（ｂ）に示すように、加飾フィルム１の透明基材２側の面とは反対の面側から光Ｌ１を投射していないときには、透明基材２側の面側から加飾層３の絵柄や文字等の意匠を視認することができる。そのため、図１０に示すように、加飾フィルム１を備える表示装置２０において、表示パネル２１の非表示時には、加飾フィルム１の透明基材２側の面側から、観察者は、加飾層３の意匠を視認することができる。
【０１５４】
図１１（ａ）〜（ｅ）は、本実施態様の加飾フィルムの製造方法の一例を示す工程図であり、図９（ａ）、（ｂ）に示す加飾フィルムの製造方法の例である。まず、図１１（ａ）に示すように、透明基材２の一方の面に印刷法等により透光部４をパターン状に形成する。この際、後の工程にて加飾層を形成したときに、透光部の透明基材からの高さが加飾層の透明基材からの高さよりも高くなるように、透光部４の厚みが設定される。次に、図１１（ｂ）に示すように、透明基材２の一方の面の透光部４が配置されていない領域に印刷法等により加飾層３をパターン状に形成する。これにより、開口部１３を有する加飾層３が得られる。次いで、図１１（ｃ）に示すように、加飾層３上に印刷法等により中間層６を加飾層３と同一のパターン状に形成する。これにより、加飾層３の開口部１３と同一のパターン状の開口部１６を有する中間層６が得られる。続いて、図１１（ｄ）に示すように、中間層６上に印刷法等により遮光層５を加飾層３および中間層６と同一のパターン状に形成する。これにより、加飾層３の開口部１３および中間層６の開口部１６と同一のパターン状の開口部１５を有する遮光層５が得られる。次に、図１１（ｅ）に示すように、遮光層５および透光部４を覆うように表面機能層７を形成する。
【０１５５】
このような加飾フィルムの製造方法においては、図１１（ｂ）に示すように、加飾層３を形成する際、透光部４の透明基材２からの高さｈ１が加飾層３の透明基材２からの高さｈ２よりも高いため、透光部４を利用して、透光部４が配置されていない領域に加飾層３を容易に形成することができる。したがって、加飾層３の位置合わせを要することなく、透光部４が配置されていない領域のみに確実に加飾層３を形成することができる。そのため、例えば図１２に示すように、加飾層３が複数色の加飾部３ａ、３ｂを有する場合（図１２においては、加飾層３は２色の加飾部３ａ、３ｂを有する。）には、加飾層３の開口部１３に対して各加飾部３ａ、３ｂの位置合わせを要しない。
【０１５６】
このように本実施態様においては、加飾層の開口部に透光部が配置されていることにより、レーザ加工による開口部の形成が不要であり、容易に多数の開口部を有する加飾層を形成することができる。したがって、短時間で安価に加飾フィルムを製造することが可能である。また、透光部の透明基材からの高さが加飾層の透明基材からの高さよりも高いことにより、加飾層の形成時に位置合わせを要することなく、簡便な工程で加飾層を形成することができる。
【０１５７】
また、本実施態様においては、加飾層の開口部に透光部が配置されていることにより、レーザ加工による開口部の形成が不要であるため、加飾層、中間層および遮光層の厚みを厚くすることが可能である。したがって、加飾層、中間層および遮光層がそれぞれの機能を十分に発揮させることができる。
【０１５８】
以下、本実施態様の加飾フィルムについて詳細に説明する。
【０１５９】
１．透光部
本実施態様における透光部は、後述する加飾層の開口部に配置されるパターン状の部材である。
【０１６０】
本実施態様においては、透光部の透明基材からの高さは、加飾層の透明基材からの高さよりも高ければよく、例えば加飾フィルムが、加飾層の透明基材側の面とは反対の面に遮光層を有する場合には、例えば図９（ｂ）に示すように、透光部４の透明基材２からの高さｈ１が、遮光層５の透明基材２から高さよりも低くてもよく、図１３に示すように、透光部４の透明基材２からの高さｈ１が、遮光層５の透明基材２から高さｈ３よりも高くてもよく、図示しないが、透光部の透明基材からの高さが、遮光層の透明基材からの高さと同じであってもよい。
【０１６１】
また、例えば加飾フィルムが、加飾層の透明基材側の面とは反対の面に遮光層を有し、加飾層および遮光層の間に中間層を有する場合には、例えば図９（ｂ）に示すように、透光部４の透明基材２からの高さｈ１が、遮光層５の透明基材２から高さよりも低く、中間層６の透明基材２からの高さよりも低くてもよく、図１３に示すように、透光部４の透明基材２からの高さｈ１が、中間層６の透明基材２から高さｈ４よりも高く、遮光層５の透明基材２から高さｈ３よりも高くてもよく、図示しないが、透光部の透明基材からの高さが、中間層の透明基材からの高さよりも高く、遮光層の透明基材からの高さよりも低くてもよい。また、透光部の透明基材からの高さは、遮光層の透明基材からの高さと同じであってもよく、中間層の透明基材からの高さと同じであってもよい。
【０１６２】
透光部の透明基材からの高さが、遮光層の透明基材からの高さよりも高い場合には、透光部は、加飾層の開口部および遮光層の開口部に配置される。また、透光部の透明基材からの高さが、中間層の透明基材からの高さよりも高く、遮光層の透明基材からの高さよりも高い場合には、透光部は、加飾層の開口部、中間層の開口部および遮光層の開口部に配置される。
【０１６３】
透光部の透明基材からの高さは、加飾層の透明基材からの高さよりも高い。透光部の透明基材からの高さと、加飾層の透明基材からの高さとの差は、加飾フィルムの構成および上述した透光部の透明基材からの高さについての態様に応じて異なる。具体的には、透光部の透明基材からの高さと、加飾層の透明基材からの高さとの差は、０．０５μｍ以上とすることができ、中でも０．１μｍ以上であることが好ましく、特に０．２μｍ以上であることが好ましい。上記高さの差が上記範囲であることにより、加飾層の形成時に位置合わせを要することなく、透光部が配置されていない領域のみに確実に加飾層を形成することができる。
【０１６４】
また例えば、図１（ｂ）に示すように加飾フィルム１が遮光層および中間層を有さない場合、あるいは、図９（ｂ）に示すように加飾フィルム１が遮光層５および中間層６を有する場合であって、透光部４の透明基材２からの高さｈ１が、遮光層５の透明基材２から高さよりも低く、中間層６の透明基材２からの高さよりも低い場合、あるいは、図示しないが、加飾フィルムが遮光層を有し、中間層を有さない場合であって、透光部の透明基材からの高さが、遮光層の透明基材から高さよりも低い場合には、透光部の透明基材からの高さと、加飾層の透明基材からの高さとの差は、例えば、０．０５μｍ以上とすることができ、中でも０．１μｍ以上７μｍ以下であることが好ましく、特に０．２μｍ以上５μｍ以下であることが好ましい。上記高さの差が上記範囲であることにより、加飾層の形成時に位置合わせを要することなく、透光部が配置されていない領域のみに確実に加飾層を形成することができる。
【０１６５】
また例えば、図１３に示すように加飾フィルム１が遮光層５および中間層６を有する場合であって、透光部４の透明基材２からの高さｈ１が、中間層６の透明基材２からの高さｈ４よりも高く、遮光層５の透明基材２から高さｈ３よりも高い場合、あるいは、図示しないが、加飾フィルムが遮光層を有し、中間層を有さない場合であって、透光部の透明基材からの高さが、遮光層の透明基材から高さよりも高い場合には、透光部の透明基材からの高さは、加飾層の透明基材からの高さよりも高く、遮光層の透明基材からの高さよりも高くなる。この場合、透光部の透明基材からの高さと、遮光層の透明基材からの高さとの差は、例えば、０．０５μｍ以上とすることができ、中でも０．１μｍ以上７μｍ以下であることが好ましく、特に０．２μｍ以上５μｍ以下であることが好ましい。上記高さの差が上記範囲であることにより、加飾層の形成時だけでなく、中間層や遮光層の形成時にも位置合わせを要することなく、透光部が配置されていない領域のみに確実に加飾層、中間層、遮光層を形成することができる。
【０１６６】
ここで、透光部の透明基材からの高さとは、透明基材の一方の面からの透光部の高さをいい、透光部の厚みをいう。例えば、図１（ｂ）、図９（ｂ）および図１３において、符号ｈ１で示される高さである。
【０１６７】
また、加飾層の透明基材からの高さとは、透明基材の一方の面からの加飾層の高さをいう。例えば、透明基材の直上に加飾層が配置されている場合には、加飾層の透明基材からの高さとは、加飾層の厚みをいう。具体的には、図１（ｂ）、図９（ｂ）および図１３において、符号ｈ２で示される高さである。
【０１６８】
また、遮光層の透明基材からの高さとは、透明基材の一方の面からの遮光層の高さをいう。例えば、透明基材の一方の面に加飾層、中間層および遮光層の順に積層されている場合には、遮光層の透明基材からの高さとは、加飾層、中間層および遮光層の合計厚みをいう。具体的には、図１３において、符号ｈ３で示される高さである。
【０１６９】
透光部の厚み、すなわち透光部の透明基材からの高さは、加飾層の透明基材からの高さよりも高ければよく、加飾層の透明基材からの高さや、上述した透光部の透明基材からの高さについての態様、加飾層、遮光層および中間層の厚み等に応じて適宜調整される。具体的には、透光部の厚みは、０．０５μｍ以上１００μｍ以下とすることができ、中でも０．１μｍ以上５０μｍ以下であることが好ましく、特に０．２μｍ以上２５μｍ以下であることが好ましい。透光部の厚みが上記範囲内であることにより、加飾層の形成時に位置合わせを要することなく、透光部が配置されていない領域のみに確実に加飾層を形成することができる。
【０１７０】
なお、透光部のパターン形状、透光部の平面視形状、透光部の平面視の大きさ、隣接する透光部の間隔等については、上記第１実施態様と同様とすることができる。
【０１７１】
透光部は、透明性を有する。なお、透光部が有する透明性については、上記第１実施態様と同様とすることができる。
【０１７２】
透光部は、例えば図１４（ａ）、（ｂ）に示すように、透光部４の透明基材２側の面とは反対の面が、微細凹凸４ｃを有していてもよい。透光部４が表面に微細凹凸４ｃを有することにより、加飾フィルム１の透明基材２側の面とは反対の面側から光Ｌ１を投射したときに、微細凹凸４ｃによって透光部４を透過した光Ｌ１を拡散させることができ、加飾フィルムの視野角特性を向上させることができるからである。
【０１７３】
透光部が表面に微細凹凸を有する場合、透光部の透明基材側の面とは反対側の面における表面粗さについては、上記第１実施態様と同様とすることができる。
【０１７４】
透光部の光拡散機能、ヘイズ値については、上記第１実施態様と同様とすることができる。
【０１７５】
また、透光部の材料については、上記第１実施態様と同様とすることができる。
【０１７６】
２．加飾層
本実施態様における加飾層は、透明基材の一方の面に配置され、パターン状の開口部を有する部材である。本実施態様においては、上述したように、加飾フィルムの透明基材側の面と反対の面側から光が投射されていないときには、加飾フィルムの透明基材側の面側から加飾層の絵柄や文字等の意匠を視認することができる。
【０１７７】
加飾層は、通常、例えば図１（ａ）および図９（ａ）に示すように、平面視上、多数の開口部を有する。加飾層が多数の開口部を有することにより、加飾フィルムの透明基材側の面とは反対の面側から光を投射した際に、上記開口部から加飾フィルムの透明基材側の面側へと光を透過することが可能となる。これにより、観察者は、加飾フィルムの透明基材側の面側に透過された光により所定の情報を視認することが可能となる。
【０１７８】
加飾層については、上記第１実施態様と同様とすることができる。
【０１７９】
３．遮光層
本実施態様の加飾フィルムは、後述する上記加飾層の透明基材側の面とは反対の面に配置され、上記加飾層の開口部と同一のパターン状の開口部を有する遮光層をさらに備えることが好ましい。遮光層は、加飾フィルムに投射される光を遮ることができる。例えば、図９（ｂ）に示すように、遮光層５は、加飾フィルム１の透明基材２側の面とは反対の面側から投射された光Ｌ１が、加飾層３を透過することを抑制することができる。加飾フィルム１の透明基材２側の面とは反対の面側から投射された光Ｌ１が加飾層３を透過しないことにより、加飾層３によって光Ｌ１が着色されるのを抑制することができる。これにより、加飾フィルム１の透明基材２側の面側からの観察者による情報の視認性の低下を抑制することができる。
【０１８０】
遮光層については、上記第１実施態様と同様とすることができる。
【０１８１】
４．中間層
本実施態様の加飾フィルムは、上記加飾層および上記遮光層の間に配置され、上記加飾層の開口部および上記遮光層の開口部と同一のパターン状の開口部を有する中間層をさらに備えていてもよい。加飾層および遮光層の間に中間層が配置されていることにより、加飾フィルムの透明基材側の面とは反対の面側から光が投射されていないときに、加飾層の背後を明るくして、加飾層の絵柄や文字等の意匠を引き立たせることができる。また、加飾層を通して遮光層が透けて見えるのを抑制することができる。これにより、加飾層の絵柄や文字等の意匠の視認性を高めることができる。
【０１８２】
中でも、例えば加飾層の絵柄や文字等の意匠の色合いが淡色である場合には、加飾層および遮光層の間に中間層が配置されていることが好ましい。加飾層の意匠の色合いが淡色である場合、加飾フィルムの透明基材側の面とは反対の面側から光が投射されていないときには、加飾層の背後が暗くなるため、また加飾層を通して遮光層が透けて見えやすいため、観察者に加飾層の意匠が暗い色合いに見えてしまうおそれがある。これに対し、加飾層および遮光層の間に中間層が配置されていることにより、加飾層の背後を明るくすることができ、また加飾層を通して遮光層が透けて見えるのを抑制することができ、その結果、加飾層の意匠を引き立たせることができ、加飾層の絵柄や文字等の意匠の視認性を高めることができる。また、加飾層を通して遮光層が透けて見えるのを抑制するためには、加飾層の厚みを厚くする必要があるが、加飾層の厚みが厚くなり過ぎると、加飾フィルムの厚み自体が厚くなってしまう傾向にある。このような場合に、中間層を設けることで、加飾層の厚みを厚くすることなく、加飾層を通して遮光層が透けて見えるのを抑制することが可能となる。
【０１８３】
中間層については、上記第１実施態様と同様とすることができる。
【０１８４】
５．表面機能層
本実施態様の加飾フィルムは、加飾層の透明基材側の面とは反対の面に、加飾層および透光部を覆うように配置された表面機能層をさらに備えていてもよい。本実施態様においては、例えば図９（ｂ）に示すように、表面機能層７を加飾フィルム１の透明基材２側の面とは反対側の面の最外層に配置することができる。
【０１８５】
表面機能層については、上記第１実施態様と同様とすることができる。
【０１８６】
６．透明基材
本実施態様における透明基材は、上述した透光部、加飾層、遮光層、中間層、表面機能層等を支持する部材である。本実施態様の加飾フィルムにおいては、表示装置に用いた場合に、加飾フィルムの透明基材側の面とは反対の面側に表示パネルが配置される。
透明基材については、上記第１実施態様と同様とすることができる。
【０１８７】
７．支持部材
本実施態様の加飾フィルムは、加飾フィルムのいずれかの面に配置された支持部材を有するものであってもよい。上記支持部材については、上記第１実施態様と同様であるので、ここでの説明は省略する。
【０１８８】
８．加飾フィルムの物性
本実施態様の加飾フィルムは、所定の透明性を有することが好ましい。加飾フィルムの透明性については、上記第１実施態様と同様とすることができる。
また、本実施態様の加飾フィルムは、第１実施態様と同様に、インサート成形法、インモールド成形法、およびＴＯＭ成形法等に用いることができる程度の、熱可塑性、延伸性を有し、成形性に優れるといった特性を有することが好ましい。
【０１８９】
９．加飾フィルムの製造方法
本実施態様の加飾フィルムの製造方法は、上述した所定の構成を有する加飾フィルムを得ることができる方法であればよいが、透明基材の一方の面に透光部をパターン状に形成する透光部形成工程と、透明基材の一方の面の透光部が配置されていない領域に加飾層を形成する加飾層形成工程とを少なくとも有することが好ましい。透光部および加飾層を順に形成することにより、透光部を利用して、加飾層の位置合わせを要することなく、透光部が配置されていない領域のみに確実に加飾層を形成することができる。したがって、短時間で安価に、簡便な工程で開口部を有する加飾層を形成することができる。
【０１９０】
また、加飾フィルムが遮光層をさらに有する場合には、加飾層形成工程後に、加飾層上に加飾層と同一のパターン状に遮光層を形成する遮光層形成工程を行ってもよい。
【０１９１】
また、加飾フィルムが遮光層および中間層をさらに有する場合には、加飾層形成工程後に、加飾層上に加飾層と同一のパターン状に中間層を形成する中間層形成工程と、中間層上に加飾層および中間層と同一のパターン状に遮光層を形成する遮光層形成工程とを行ってもよい。
【０１９２】
以下、加飾フィルムが遮光層および中間層をさらに有する場合であって、透光部形成工程、加飾層形成工程、中間層形成工程および遮光層形成工程の順に行う製造方法について説明する。
【０１９３】
本実施態様の加飾フィルムの製造方法の具体例としては、透明基材の一方の面に透光部をパターン状に形成する透光部形成工程と、透明基材の一方の面の透光部が配置されていない領域に加飾層を形成する加飾層形成工程と、加飾層上に加飾層と同一のパターン状に中間層を形成する中間層形成工程と、中間層上に加飾層および中間層と同一のパターン状に遮光層を形成する遮光層形成工程とを有する。
【０１９４】
図１１（ａ）〜（ｅ）は本実施態様の加飾フィルムの製造方法の一例を示す工程図である。なお、図１１（ａ）〜（ｅ）については、上述したので、ここでの説明は省略する。
【０１９５】
本実施態様においては、透光部の透明基材からの高さが加飾層の透明基材からの高さよりも高いことにより、加飾層の形成時に位置合わせを要することなく、簡便な工程で加飾層を形成することができる。
【０１９６】
図１５（ａ）〜（ｄ）は本実施態様の加飾フィルムの製造方法の他の例を示す工程図である。まず、図１５（ａ）に示すように、透明基材２の一方の面に透光部４をパターン状に形成する。この際、後の工程にて加飾層を形成したときに、透光部の透明基材からの高さが加飾層の透明基材からの高さよりも高く、かつ遮光層の透明基材からの高さよりも高くなるように、透光部４の厚みが設定される。次に、図１５（ｂ）に示すように、透明基材２の一方の面の透光部４が配置されていない領域に加飾層３をパターン状に形成する。これにより、開口部１３を有する加飾層３が得られる。次いで、図１５（ｃ）に示すように、透光部４が配置されていない領域に、かつ加飾層３上に中間層６を形成する。これにより、加飾層３の開口部１３と同一のパターン状の開口部１６を有する中間層６が得られる。続いて、図１５（ｄ）に示すように、透光部４が配置されていない領域に、かつ中間層６上に遮光層５を形成する。これにより、加飾層３の開口部１３および中間層６の開口部１６と同一のパターン状の開口部１５を有する遮光層５が得られる。
【０１９７】
このような加飾フィルムの製造方法においては、図１５（ｂ）に示すように、加飾層３を形成する際、透光部４の透明基材２からの高さｈ１が加飾層３の透明基材２からの高さｈ２よりも高いため、透光部４を利用して、透光部４が配置されていない領域に加飾層３を容易に形成することができる。また、図１５（ｃ）〜（ｄ）に示すように、遮光層５および中間層６を形成する際、透光部４の透明基材２からの高さｈ１が遮光層５の透明基材２からの高さｈ３よりも高くなるように、透光部４の厚みが設定されているため、透光部４を利用して、透光部４が配置されていない領域に遮光層５および中間層６を容易に形成することができる。したがって、遮光層５、中間層６および加飾層３の位置合わせを要することなく、透光部４が配置されていない領域のみに確実に遮光層５、中間層６および加飾層３を形成することができる。
【０１９８】
したがって、透光部の透明基材からの高さが加飾層の透明基材からの高さよりも高く、かつ遮光層の透明基材からの高さよりも高い場合には、遮光層、中間層および加飾層の形成時に位置合わせを要することなく、簡便な工程で遮光層、中間層および加飾層を形成することができる。
【０１９９】
以下、本実施態様の加飾フィルムの製造方法の各工程について説明する。
【０２００】
（ａ）透光部形成工程
透明基材の一方の面に透光部をパターン状に形成する方法としては、上記第１実施態様における透光部の形成方法と同様とすることができる。
【０２０１】
（ｂ）加飾層形成工程
透明基材の一方の面の透光部が配置されていない領域に加飾層を形成する方法としては、上記第１実施態様における加飾層の形成方法と同様とすることができる。
【０２０２】
また、例えば図１５（ａ）〜（ｄ）に示すように、透光部４の透明基材２からの高さｈ１が遮光層５の透明基材２からの高さｈ３よりも高い場合には、透光部４の透明基材２からの高さｈ１と加飾層３の透明基材２からの高さｈ２との差が比較的大きくなるが、加飾層用組成物の粘度等を調整することにより、透光部が配置されていない領域に加飾層を形成することが可能である。
【０２０３】
また、加飾層の形成時に、透光部上にも加飾層が形成された場合には、透光部上に位置する加飾層を除去すればよい。透光部上に位置する加飾層を除去する方法としては、上記第１実施態様における加飾層の除去方法と同様とすることができる。
【０２０４】
（ｃ）中間層形成工程
加飾層上に加飾層と同一のパターン状に中間層を形成する方法としては、上記第１実施態様における中間層の形成方法と同様とすることができる。
【０２０５】
（ｄ）遮光層形成工程
中間層上に加飾層および中間層と同一のパターン状に遮光層を形成する方法としては、上記第１実施態様における遮光層の形成方法と同様とすることができる。
【０２０６】
（ｅ）その他の工程
本実施態様の加飾フィルムの製造方法は、上述した工程の他にも、必要に応じてその他の工程を有していてもよい。
【０２０７】
本実施態様の加飾フィルムの製造方法は、例えば、上記遮光層形成工程後に、遮光層および透光部を覆うように表面機能層を形成する表面機能層形成工程を有していてもよい。表面機能層の形成方法としては、上記第１実施態様における表面機能層の形成方法と同様とすることができる。また、上記第１実施態様と同様に支持部材形成工程を有していてもよい。
【０２０８】
Ｂ．表示装置
本開示の表示装置は、表示パネルと、上記表示パネルの前面に配置された上述の加飾フィルムとを備える装置である。
【０２０９】
図３および図１０はそれぞれ、本開示の表示装置の一例を示す概略断面図である。なお、図３および図１０については、上記「Ａ．加飾フィルム」の項に記載したので、ここでの説明は省略する。
【０２１０】
本開示によれば、上述した加飾フィルムを有することにより、表示時には表示パネルの情報を表示することができ、非表示時には加飾フィルムの意匠を視認することができる表示装置とすることができる。また、このような表示装置を安価に提供することができる。
【０２１１】
以下、本開示の表示装置における各構成について説明する。
【０２１２】
１．加飾フィルム
本開示における加飾フィルムは、上記「Ａ．加飾フィルム」の項に記載した部材と同様である。加飾フィルムを構成する各部材については、上記「Ａ．加飾フィルム」の項に記載した内容と同様とすることができるため、ここでの記載は省略する。
【０２１３】
２．表示パネル
本開示における表示パネルは、情報を表示する部材である。
【０２１４】
表示パネルとしては、特に限定されるものではなく、例えば、ＬＥＤパネル、有機ＥＬパネル、液晶パネル、プラズマディスプレイパネル、電子ペーパー等が挙げられる。また、表示パネルは、単色表示であってもよく、多色表示であってもよい。
【０２１５】
また、表示パネルに表示される情報は、例えば静止画であってもよく、動画であってもよい。
【０２１６】
３．用途
本開示の表示装置の用途としては、例えば、自動車等の車両の内装材または外装材が挙げられる。具体的には、車載ディスプレイが挙げられる。
【０２１７】
また、本開示の表示装置の用途としては、例えば、案内板、広告、看板等のディスプレイとしての用途や、ドアホン、浴室、台所、寝室等のモニターとしての用途、家電の表示部としての用途、表示部が埋め込まれた家具の表示部としての用途、照明器具、窓、ショーウインドウ等の照明または採光としての用途が挙げられる。
【０２１８】
また、本開示の表示装置の用途としては、例えば、避難経路、火災報知機、警告灯等の警告表示としての用途が挙げられる。
【０２１９】
なお、本開示は、上記実施形態に限定されるものではない。上記実施形態は、例示であり、本開示の特許請求の範囲に記載された技術的思想と実質的に同一な構成を有し、同様な作用効果を奏するものは、いかなるものであっても本開示の技術的範囲に包含される。
【実施例】
【０２２０】
以下に実施例を示し、本開示をさらに詳細に説明する。
【０２２１】
（実施例１〜３）
実施例１〜３は、図１に示す層構成、すなわち加飾層のみの構成で加飾フィルムを形成したものである。透明基材としては、厚み１２５μｍのアクリルフィルムを用い、加飾層はオフセット印刷により形成した。上記加飾フィルムの透明基材側に４００μｍのＡＢＳフィルムを熱圧着させインサート成形用フィルムとし、このインサート形成用フィルムを用い、インサート成形により厚み２ｍｍの支持部材（ポリカーボネート樹脂およびＡＢＳ樹脂の混合樹脂）と貼り合わせ、試料を調製した。
透光部の厚み、加飾層の厚み、およびその差（a−（b＋c＋d）、図１（ｂ）における（ｈ１−ｈ２））をそれぞれ表１に示す。
【０２２２】
表１中の評価は、以下の通りである。
実施例１：△（透光部にインキ残りがあるが使用可能）
実施例２：〇（透光部にややインキ残りがあるが使用可能）
実施例３：◎（透光部にインキ残りがなく、また混色も無い）
【０２２３】
（実施例４〜８）
実施例４〜８は、図２に示す層構成、すなわち、加飾層、中間層、および遮光層を有する層構成の加飾フィルムを形成したものである。実施例４の加飾層のみオフセット印刷により形成し、他の加飾層、中間層、および遮光層はスクリーン印刷により形成した。他の点については、上記実施例１〜３と同様にして試料を調製した。
透光部の厚み、加飾層、中間層、および遮光層の厚み、およびその差（a−（b＋c＋d）、図２（ｂ）における（ｈ１−ｈ２））をそれぞれ表１に示す。
【０２２４】
表１中の評価は、以下の通りである。
実施例４および５：◎（加飾層にかすれなく、また混色も無い）
実施例６および７：〇（加飾層にややかすれがあるが使用可能）
実施例８：△（加飾層にかすれあるが使用可能）
【０２２５】
【表１】
2020067564.tif 000003
【符号の説明】
【０２２６】
１  …  加飾フィルム
２  …  透明基材
３  …  加飾層
４  …  透光部
５  …  遮光層
６  …  中間層
７  …  表面機能層
１３  …  加飾層の開口部
１５  …  遮光層の開口部
１６  …  中間層の開口部
ｈ１  …  透光部の透明基材からの高さ
ｈ２  …  加飾層の透明基材からの高さ
【図１】
2020067564.tif 000004
【図２】
2020067564.tif 000005
【図３】
2020067564.tif 000006
【図４】
2020067564.tif 000007
【図５】
2020067564.tif 000008
【図６】
2020067564.tif 000009
【図７】
2020067564.tif 000010
【図８】
2020067564.tif 000011
【図９】
2020067564.tif 000012
【図１０】
2020067564.tif 000013
【図１１】
2020067564.tif 000014
【図１２】
2020067564.tif 000015
【図１３】
2020067564.tif 000016
【図１４】
2020067564.tif 000017
【図１５】
2020067564.tif 000018
【図１６】
2020067564.tif 000019